(57)【特許請求の範囲】
【請求項１】
時ラック（１１）と、該ラックと駆動ばね端部の間のデスモドロミックリンクと、前記時ラックと連動する手動巻レバー（１１ａ）と、前記駆動ばねの巻程度を、打鐘する時間の数に限定する時鐘カム（８）と、四半時ラック（１０）と、前記時ラック（１１）と前記四半時ラック（１０）の間の駆動リンク（１５、１６ｂ）と、前記四半時ラックの移動を、打鐘する四半時の数に限定する四半時鐘カム（３）と、分ラック（９）と、前記四半時ラック（１０）と前記分ラック（９）の間の駆動リンク（１７、１８ｂ）と、前記分ラックの移動を、打鐘する分の数に限定する分鐘カム（１）と、各々が鐘（３５）に結合された２つの打鐘ハンマ（２４、２９）と、第１、第２、および第３のラチェット歯群（１３ａ、１３ｂ、１０ｆ）と、打鐘する時間の表示に応じて前記２つの打鐘ハンマ（２４、２９）の各々を選択的に作動させる打鐘パレット（２１、２６）とを含む、ミニッツリピータ付きの時計であって、
前記時ラック（１１）、四半時ラック（１０）及び分ラック（９）が、共通軸（１４）の周りに回転自在に取り付けられ、一方では前記時ラック（１１）及び四半時ラック（１０）が、他方では前記四半時ラック（１０）及び分ラック（９）が、つめ車（１５、１７）と、前記つめ車と嵌合する第４のラチェット歯群（１０ａ、９ａ）と、止め具（１０ｂ、９ｂ）と、前記つめ車（１５、１７）を前記第４のラチェット歯群（１０ａ、９ａ）と選択的に嵌合させるカム（１６ｂ、１８ｂ）とを含む一方向駆動リンクによって連結され、かつ前記駆動ばね端部が、第１の打鐘パレット（２１）を作動させる第１および第２の別個のラチェット歯群（１３ａ、１３ｂ）と動力学的に連動し、前記第１のラチェット歯群（１３ａ）が、時鐘を鳴らし、前記第２のラチェット歯群（１３ｂ）が、四半時鐘及び分鐘を鳴らし、前記第３のラチェット歯群（１０ｆ）が、四半時鐘を鳴らす前記第１のハンマ（２４）と交互に前記第２のハンマ（２９）を作動させる第２の打鐘パレット（２６）と嵌合するために、前記四半時ラック（１０）と連動することを特徴とする時計。
【請求項２】
前記時ラック（１１）、四半時ラック（１０）及び分ラック（９）が、互いに遊びなしに取り付けられる請求項１に記載の時計。
【請求項３】
前記つめ車（１５、１７）を前記第４のラチェット歯群（１０ａ、９ａ）と選択的に嵌合させる前記カム（１６ｂ、１８ｂ）が、機構の固定部と連動するカムであり、前記カムが、前記ラックの回転軸（１４）と同心で２つの異なる半径を有する２つの連続した円弧（１６ａ、１６ｂ；１８ａ、１８ｂ）と、前記つめ車（１５、１７）と連動するカムフォロア（１５ｂ、１７ｂ）とを含み、前記カムフォロアが、打鐘する時間に応じて前記ラック（１０、９）の所定の角位置で前記つめ車（１５、１７）を前記第４のラチェット歯群（１０ａ、９ａ）と嵌合させるために、その回転軸から偏心している請求項１又は２に記載の時計。
【請求項４】
前記ミニッツリピータが、腕時計のムーブメントと結合されている請求項１から３のいずれかに記載の時計。
【発明の詳細な説明】
【技術分野】
【０００１】
本発明は、時ラックと、このラックと駆動ばね端部の間のデスモドロミックリンクと、時ラックと連動する手動巻レバーと、駆動ばねの巻程度を、打鐘する時間の数に限定する時鐘カムと、四半時ラックと、時ラックと四半時ラックの間の駆動リンクと、四半時ラックの移動を、打鐘する四半時の数に限定する四半時鐘カムと、分ラックと、四半時ラックと分ラックの間の駆動リンクと、分ラックの移動を、打鐘する分の数に限定する分鐘カムと、各々が鐘に結合された、２つの打鐘ハンマと、歯群と、打鐘する時間の表示に応じて、２つの打鐘ハンマの各々を選択的に作動させるパレットとを含む、ミニッツリピータ付きの時計に関する。
【背景技術】
【０００２】
上記タイプのミニッツリピータ付きの時計は、古くから知られている。かかる機構は、特に非特許文献１に記載されている。この機構において、時ラックは、駆動ばね端部と連動するピニオンと嵌合した歯板によって駆動ばね端部を駆動する。このピニオンは、時鐘を鳴らすパレットと嵌合した時ラチェットと連動する。四半時鐘は、四半時部品と連動する２つの歯群によって制御され、分鐘は、四半時部品によって駆動される分部品と連動する２つのラチェット歯群によって制御される。
【０００３】
この機構の良好な働きを可能にするために、種々のラックは、自由でなければならず、そのために、互いに接触することを避けるように十分な遊びによって互いに分離されていなければならない。様々なラックに結合された鐘を鳴らす歯群は、４つの打鐘パレットを制御しなければならない。このようにして各ハンマは、２つの打鐘パレットにより交互に作動される。互いに自由に移動できるように十分な遊びによって分離されていなければならない部材のこの重複は、高さにおいて大きな場所を占める。これが、かかるミニッツリピータ機構を有する薄厚の時計、特に、厚さがとりわけ重大な要素である腕時計を製作することが困難になる理由である。しかるに、古典的なリピータ機構は、ムーブメントの全高を非常に著しく増大させる。
【先行技術文献】
【非特許文献】
【０００４】
【非特許文献１】コンプリケーション（Ｃｏｍｐｌｉｃａｔｉｏｎｓ）の欄、インターネット＜ＵＲＬ：ｗｗｗ．ｈｏｒｌｏｇｅｒｉｅ−ｓｕｉｓｓｅ．ｃｏｍ＞
【発明の概要】
【発明が解決しようとする課題】
【０００５】
本発明の目的は、上述の短所を少なくとも部分的に是正することである。
【課題を解決するための手段】
【０００６】
このために、本発明は、請求項１に記載のミニッツリピータ付きの時計を対象とする。
【０００７】
このミニッツリピータにおいて、各ハンマは、単一の歯付き部材と共に働く単一のパレットによって作動される。
【０００８】
この配置により、種々のラックを遊びによって分離することが、もはや必要でなくなり、種々のラックは、互いに遊びなしに問題なく重ねることができ、このことにより、大きな高さ利得が可能になる。
【０００９】
情報取得後にラックを巻き直すための駆動力が、駆動ばねから時鐘ラックに伝達され、時鐘ラックは、四半時ラックを駆動し、四半時ラックは、分ラックを駆動する。
【００１０】
高さにおける場所の利得に加えて、本発明の対象であるミニッツリピータは、機構の簡略化も可能にする。
【００１１】
添付図面は、本発明の対象であるミニッツリピータ付きの時計の実施形態を概略的に例として示す。
【図面の簡単な説明】
【００１２】
【図１】ミニッツリピータ付きの腕時計の底部側面図である。
【図２】休止位置でのミニッツリピータ機構のみを示す、図１の部分平面図である。
【図３】１時における巻き及び情報取得位置でのミニッツリピータ機構のみを示す、図１の部分平面図である。
【図４】１１時５９分における巻き及び情報取得位置でのミニッツリピータ機構のみを示す、図１の部分平面図である。
【発明を実施するための形態】
【００１３】
図１〜４に示すミニッツリピータ機構において、ムーブメントの中心に分カム又は分渦巻カム１が見え、その下方に（図１に見える）サプライズ２及び四半時カム又は四半時渦巻カム３がある。これらのカム１〜３は、日の裏車（ｒｏｕａｇｅ  ｄｅ  ｍｉｎｕｔｅｒｉｅ）の分車５（図１）によってキャノンピニオン４と共に毎時１回転の割合で駆動される。
【００１４】
カムが回転する毎に、止めピン６が１２の枝を有する星車７と嵌合し、この星車７上に、１２段に分割された、時カムと呼ばれる螺旋カム８が固定され、それ故に２４時間で２回転する。
【００１５】
カム１、３及び８の各々は、ラックに結合される。分カム１は、分ラック９に結合され、四半時カム３は、四半時ラック１０に結合され、時カムは、時ラック１１に結合される。
【００１６】
時ラックは、巻レバー１１ａと、ホイール１２と嵌合する歯付き区域１１ｂとを含み、ホイール１２の軸に、打鐘ばね（図示せず）の一端が固定され、その他端は、固定部分と連動する。打鐘ホイール１３は、ホイール１２にビスで固定される。
【００１７】
３つのラック９〜１１は、同じ軸の周りで回転し、ビス１４によってこの軸上に保持されている。時ラック１１は、２つの止めピン１５ａ、１５ｂと連動するつめ車１５によって四半時ラック１０に連結される。止めピン１５ａは、つめ車１５を時計の針の方向に回転させる働きをする時ラック１１内で切り取られたばね１１ｃと嵌合し、止めピン１５ｂは、図４に見られる２つの半径１６ａ、１６ｂを有するカムと嵌合する。このカムは、時計のフレームと連動する。つめ車１５は、四半時ラック１０の固定ビス１４の回転軸と融合している回転軸と同心の四半時ラック１０の円弧状の表面に沿って移動する。この円弧状の表面は、一端に歯群１０ａ及び止め具１０ｂを備える。カム１６ａ、１６ｂは、以下で記載するように、つめ車１５をこの歯群１０ａと嵌合させるように設計される。
【００１８】
先のつめ車と同一の、第２のつめ車１７は、四半時ラック１０内で切り取られたばね１０ｃ、及び２つの半径１８ａ、１８ｂを有し時計のフレームと連動するカムとそれぞれ嵌合する２つの止めピン１７ａ、１７ｂを有する。つめ車１７は、分ラック９の固定ビス１４の回転軸と融合している回転軸と同心の分ラック９の円弧状の表面に沿って移動する。この円弧状の表面は、一端に歯群９ａ及び止め具９ｂを含む。
【００１９】
四半時ラック１０は、ばね１９によって時計の針の方向と反対の方向に推し進められ、分ラック９は、ばね２０によって同じ方向に推し進められる。時計の針の方向で、分ラック９は、フレームと連動する止め具３４によって保持される。
【００２０】
分ラック９は、分渦巻カム１に関する情報を取得するための突端９ｄを有し、四半時ラック１０は、四半時渦巻カム３に関する情報を得るための突端１０ｄを有し、分ラック１１は、時カム８に関する情報を得るための突端１１ｄを有する。
【００２１】
打鐘ホイール１３は、２つの歯群１３ａ、１３ｂを含み、第１の歯群は、時の鐘を鳴らすためのものであり、第２の歯群は、四半時の最初の音及び分の鐘を鳴らすためのものである。空間が、これら２つの歯群１３ａ、１３ｂを分離し、よってリピータが１１時１５分、３０分又は４５分の鐘を鳴らすときに無音を設け、もって時と四半時を区別することを可能にする。ラチェット歯である歯群１３ａ、１６ｂは、戻しばね２５によって押圧されるハンマ２４に連節されたアーム２３内に設けられた、回転軸２２上に中心を置く、円弧状の溝２３ａ内に係合された中心ピン２１ａを含む、固定軸２２上で回転する、打鐘パレット２１に作用する。打鐘ホイール１３が、時計の針の方向に回転するとき、ラチェット歯１３ａ、１３ｂは、つめ車をその軸２２の周りで回転させ、中心ピン２１ａは、ハンマに影響を及ぼさずに溝２２内を移動する。打鐘ホイール１３が、時計の針の反対方向に回転するとき、各ラチェット歯１３ａ、１３ｂは、アーム２３を持ち上げ、アーム２３は次いで、ハンマ２４をゴング３５にぶつける戻しばね２５の圧力下で下がる。
【００２２】
四半時ラック１０は、固定軸２７に回転自在に取り付けられ、第１のゴング３５の下部に位置するが第１のゴングによって覆われるので見えない第２のゴングにぶつかるための第２のハンマ２９に連節されたアーム２８と嵌合する、パレット２１と同一の、第２の打鐘パレット２６と嵌合するためのラチェット歯群１０ｆで終端するアーム１０ｅを有する。この第２のハンマ２９は、戻しばね３２の作用を受けるが、ハンマ２４によって打たれる最初の音と交互に、四半時の鐘を鳴らす第２の音のみを打つためのものである。
【００２３】
打鐘パレット２１及び２６の上面は、各々が、それぞれ２つのレベルに２つの平坦な表面を有し、前記２つの表面の間で、それぞれパレット２１についてはアーム３０ａの端部を、パレット２６については３０ｂの端部を支承する軸受け面を形成している。これら２つのアーム３０ａ、３０ｂは、互いに連動し、かつ固定軸３１の周りに回転自在に取り付けられる。戻しばね３３は、２つのアーム３０ａ、３０ｂの端部を、それぞれ２つのパレット２１、２６の軸受け面に同時に押し当てて、これらのパレットの端部をそれぞれ歯群１３ａ、１３ｂ、１０ｆの軌道内に維持する働きをする。
【００２４】
例えば、全てのラック９〜１１が、その当接位置に戻される位置に相当する図２の位置からミニッツリピータを動作させようとし、かつ時計が１１時５９分を示す（図４）とき、レバー１１ａを時計の針の方向と反対方向に移動させて、ホイール１２と連動する駆動ばねを巻き、ラックの突端１１ｄを時カム８と接触した状態に導く。レバー１１ａは、移動すると、ラック１０及び９を解放し、それぞれのラックの突端１０ｄ及び９ｄが、それぞれ四半時カム又は四半時渦巻カム３及び分カム又は分渦巻カム１に当接するまで、ラック１０及び９はそのそれぞれのばね１９及び２０により時ラック１１と同じ方向に移動される。
【００２５】
レバー１１ａに圧力を加えるのを中止すると、駆動ばねは、時ラックが、時計の針の方向に駆動され、かつパレット２１が歯１３ａを通過する毎に、図４の場合においては、歯群１３ａの１１個の歯を通過する毎に、ハンマ２４によって打たれる第１のゴング３５を鳴らすように、時計の針の方向と反対方向にホイール１２を駆動する。
【００２６】
この打鐘後に、歯１３ａから歯１３ｂへのパレット２１の通過に相当する短い無音が続く。止め具１０ｂに当接した時ラックのつめ車１５は、四半時ラック１０を駆動する。ハンマ２４による第１のゴング３５の打鐘は、アーム２８、パレット２６、及び四半時ラック１０のアーム１０ｅと連動する歯群１０ｆによって制御されるハンマ２９による第２のゴングの打鐘と交互に行われる。
【００２７】
図４の例において、四半時ラック１０が、四半時の打鐘を終えたとき、つめ車１７は、分ラック９の止め具９ｂに達し、分の音を１４回鳴らして、分ラック９を止め具３４まで駆動する。
【００２８】
鳴らす音の数は、当然のことながら各ラックが受けた情報によって決まる。図３には、リピータが、１時ちょうどの鐘を鳴らす場合を表した。この場合においては、レバーを巻くとき、先端１１ｄが、螺旋状の時カム８の最も高い段に衝突し、パレット２１が歯群１３ａの最後の歯と直面するとき、打鐘ホイール１３を停止させる。分ラック９の先端９ｄ及び四半時ラックの先端１０ｄは、それぞれカム１及び３の最大直径部分に衝突する。
【００２９】
レバー１１ａが緩められると、駆動ばねは、ホイール１３を駆動して、パレット２１を歯群１３ａと１３ｂの間に導く。つめ車１５及び１７は、それぞれカム１６ｂ、１８ｂによってラチェット歯群１０ａ、９ａの第１の歯と嵌合し、他方、分ラック９は、止め具３４に支承されて、ラックのいかなる移動も、したがって１時の単一の音を鳴らした後にいかなる鐘が鳴ることも妨げる。
【図１】
0005552477.tif 000002
【図２】
0005552477.tif 000003
【図３】
0005552477.tif 000004
【図４】
0005552477.tif 000005